(57)【要約】【課題】  本考案は簡単な構造でコストが低いという利点を有すると共に、携帯に便利でいつでも何処でもディスクを拭き、修正することができる。【解決手段】  本考案に係るディスク処理器は、ディスクを清潔にしたり、修正または破壊するのに用いられる。主には第一挟みアームと第二挟みアームからなり、両者は互いにピボットしクランプ状構造を形成する。第一挟みアームと第二挟みアームはそれぞれまたは単独で少なくとも一つの処理ユニットを設置し、ディスクが前記ディスク処理器に置かれ、処理ユニットと接触すると、異なる表面材料の処理ユニットを変更することで、ディスクを清潔にしたり、修正または破壊することができる。また、前記第二挟みアームは取外し可能なタン板と台座からなり、前記タン板は台座から貫通し、前記タン板にも処理ユニットを設け、処理ユニットを変更するとき、第二挟みアームを取外し、処理ユニットの交換を使いやすくする。【選択図】    図１
0003130648.tif 000002
【実用新案登録請求の範囲】
【請求項１】
クランプにより中央孔を有するディスクを拭き、補正または破壊するディスク処理器であって、
第一挟みアームと第二挟みアームを有し、前記第一挟みアームと第二挟みアームはそれぞれ第一ピボット部と第二ピボット部を設置し、前記第一ピボット部と第二ピボット部はそれぞれピボット孔を設置し、弾性部材付きのピンにより前記ピボット孔を穿設した後、クランプ状構造を形成するように第一挟みアームと第二挟みアームの組合せを固定し、ディスクを収納し、前記第一挟みアームと第二挟みアームはそれぞれまたは単独で少なくとも一つの処理ユニットを設置し、前記処理ユニットはディスクと接触し合うようになることを特徴とするディスク処理器。
【請求項２】
前記第二挟みアームは突起部を設置し、前記突起部はディスクの中央孔から  穿設し、前記第一挟みアームは収納部を設置し、前記突起部と前記収納部は互いに嵌め合うようにすることを特徴とする請求項１に記載のディスク処理器。
【請求項３】
前記処理ユニットは綿ネルに代えることができるを特徴とする請求項１に記載のディスク処理器。
【請求項４】
前記処理ユニットは粗い表面に代えることができるを特徴とする請求項１に記載のディスク処理器。
【請求項５】
前記処理ユニットはディスクの修正液を塗布することを特徴とする請求項１に記載のディスク処理器。
【請求項６】
前記第二挟みアームは、取外し可能なタン板と台座から成り、前記タン板は台座から貫通し、前記タン板にも前記突起部と前記処理ユニットを設け、前記台座にも前記第二ピボット部と前記第一ピボット部を設けることを特徴とする請求項１に記載のディスク処理器。
【考案の詳細な説明】
【技術分野】
【０００１】
本考案はディスク処理器に関し，特に多機能を有するディスク処理器に関する。
【背景技術】
【０００２】
市場でよく見られるCD、VCDやDVDなどのディスクは，大量のデータを保存するのに使用され、そのコンパクトなサイズから、携帯に便利で低コストというメリットがあり、広く業界およびユーザーに受け入れられている。ディスクは主に五つの層に分かれ、底から上までそれぞれ、基板(Substrate)、記録層(Recording layer)、反射層(Reflective layer)、保護層(Protective layer)およびラベル印刷(Label print)である。前記基板はディスクを主に支え、保護する構造で，記録層はデータ記録に使用する有機染料で，反射層は読み取り装置から出るレーザーの反射により読み取り装置に記録層の中のデータを読み取らせ、保護層はさらに保護結構で，また基板は記録層と反射層の破壊を防止し、またラベル印刷はディスク標示に使用される。
【０００３】
ディスク使用の過程において、処理ディスクの方式は目的によって二つに分けられ、一つは清潔に保護することで、もう一つはデータの破壞である。
【０００４】
基板と保護層は高分子樹?を材料とし，ディスク内のデータを保護するが、時に誤って取り扱うことで外界の物と摩擦させて傷をつけ，記録層や反射層を壊し、保存データを失ってしまうこともある。このほか、長時間使用した後，ディスクは埃や異物を浴びやすく、読み取り裝置の読み取り效率に影響し，ひいては保存データを読み取れなくなる。既存の光ディスクヘッドクリーナーは，中華民國特許公開第450404号に示されており，その主な作動モデルはトップの取っ手を動かすことで内部の伝動体を回転運動させ、伝動体上には二つの清潔繊維トレーを有し、伝動体が回転するとき、前記二つの清潔繊維トレーも回転し、ディスクの接触面を清潔にする。
【０００５】
また、このディスクは再利用しないが、不適当な破棄によるデータ外出問題がある。前期の問題を解決するために、例えば中華民國特許公開第M256563号が示す、光ディスク信号破壊器があり、そり落とす刃を利用し、ディスクのカタログ導入区を破壞し，ディスク内部の保存データを読み取り裝置で読み取れないようにする。
【０００６】
上述の二つのディスク処理器の構造は複雜で，生産過程において製作及び組み立て上の困難を招き，また生産コストを増加させる。このほか，もしディスクを清潔にする、もしくは破壞したいなら、二つの異なるディスク処理器をそれぞれ使用しなければならず，ユーザーは用途によって二つの異なる製品を購入せねばならず、費用も収納スペースも増やすこととなる。
【考案の開示】
【考案が解決しようとする課題】
【０００７】
本考案人が考えるのは、過去にもディスク処理器の構造は複雜で，かつもしディスクを清潔にするか破壞するかする際、二つの異なるディスク処理器を使わねばならず，製作上も使用上も便利とはいえない。
【課題を解決するための手段】
【０００８】
上述の目的を達成するために，本考案のディスク処理器は第一挟みアームと第二挟みアームを有し，それぞれお互いにピボットし，前記第一挟みアームと第二挟みアームはそれぞれもしくは単独で少なくとも一つの処理ユニットを有し，前記第一挟みアームと第二挟みアームの壁上にそれぞれ収納部と突起部を有し，突起部はディスクの中央孔に差し込むことができ，かつ突起部と収納部はお互いに嵌め合っている。これ以外に，前記第二挟みアームは取り外し可能なタン板と前記タン板の台座を有することができ，前記タン板は少なくとも一つの処理ユニットと突起部を有し，ディスクの中央孔に差し込むことができ，また第一挟みアームの収納部と嵌め合って。前記ディスク処理器はオン状態とオフ状態に分けられ，オン?態の時、ディスクは突起部を設置し，また閉じた状態の時、突起部と収納部はお互いに嵌め合っており，ディスクをディスク処理器の中に固定し，タン板と第一挟みアームの処理ユニットはディスク表面と嵌め合っており，ディスク処理器を固定してディスクを回し，この時、処理ユニットの材質と性質によってディスクを清潔にし、修理し、もしくは破壊する。
【考案の効果】
【０００９】
以上の手段により，本考案は構造を簡單にし、コストを下げ、携帯しやすく、いつでもディスク処理を行うことができ，極めて便利である。
【考案を実施するための最良の形態】
【００１０】
本考案の詳細な説明と技術内容に関し，圖式と共に下記に説明する。
図1と図２が示すのは，本ディスク処理器の外觀圖と分解圖であり、本考案は第一挟みアーム１０と第二挟みアーム２０を含み，前記第二挟みアーム２０と第二挟みアーム２０はそれぞれ第一ピボット部１１と第二ピボット部２１を有し，各ピボット部１１、２１上にはそれぞれ二つのピボット孔１１１、２１１を有し，ピン３０を利用して前記ピボット孔１１１、２１１に差し込み、第一挟みアーム１０と第二挟みアーム２０を互いにピボットし、この外ピン３０の外を弾性部材付き３１が覆い，前記弾性部材付き３１は弾性を有する。第二挟みアーム２０は突起部２２を有し，第一挟みアーム１０収納部１２を有し，突起部２２に嵌め合っている。第一挟みアーム１０と第二挟みアーム２０上にそれぞれもしくは単独で少なくとも一つの処理ユニット１３を有し，前記処理ユニット１３は処理ディスクの異なる目的により異なる材質の物件に変える。たとえば，処理ユニット１３が絹ネルを使用する時、ディスク４０を清潔にし，または、ディスクに修正液を塗布してディスク４０の修理を行い、もし粗い表面物件に変われば，たとえばサンドペーパーなど，ディスク４０のデータを破壞する。
【００１１】
図３Ａと図３Ｂが示すのは，本ディスク処理器のディスク放置圖とディスク使用圖であり、第一ピボット部１１により第一挟みアーム１０区を応力端１０１と固定端
１０２に分け、前記応力端１０１に力を施して、ディスク処理器をオン状態にし，力を加えずにいるとオフ状態を維持できる。突起部２２の周りはワッシャー２２１を有し、突起部２２はディスク４０の中央孔４１に差し込むことができ、ディスク４０をディスク処理器の中に固定できる。ディスク４０がディスク処理器に入れられ、オフ?態の時，処理ユニット１３とディスク４０の表面は嵌め合っており，この時ディスク処理器を固定し、ディスク４０を回し，処理ユニット１３材質もしくは特性の違いにより、ディスク４０を清潔、補正または破壊する等の処理を行う。
【００１２】
もうひとつの実施例において，たとえば図４と図５Ａと図５Ｂが示すのは、第二挟みアーム２０は台座２３とタン板２４により構成され，前記台座２３は第二ピボット部２１を有し，前記第二ピボット部２１はピボット孔２１１を有し，第一挟みアーム１０と組み合わせる時，ピン３０を利用して前記ピボット孔１１１、２１１に差し込み、第一挟みアーム１０と第二挟みアーム４０を互いにピボットさせ，この外ピン
３０の外は弾性部材付き３１が覆い，前記弾性部材付き３１は弾性を持つ。タン板
２４も突起部２２を有し、ディスク４０の中央孔４１に差し込むことができ，前記突起部２２の周りにワッシャー２２１を有し，タン板２４のディスク４０を安定させ，前記突起部２２は第一挟みアーム１０の固定端１０２の収納部１２と接し，ディスク４０をディスク処理器の中に固定させる。タン板２４と台座２３は別構造で、タン板２４は係合部２４１、嵌め込み棒２４２と分離押し點２４３を有し、台座２３は係合部２３１と嵌め込み溝２３２を有し、タン板２４は嵌め込み棒２４２を利用し台座
２３の嵌め込み溝２３２に差し込み，底まで差し込んだ時係合部２４１と?合部
２３１を利用し互いに台座２３とタン板２４を組み合わせる。一方、もし台座２３とタン板２４を分離させたいなら，壓點２４３を下に押して分離させ、係合部２４１と係合部２３１を別々にし，さらにタン板２４を接続溝２３２に差し込んで引き出せばよい。記第二挟みアーム２０上に少なくとも一個の処理ユニット１３を有し，前記処理ユニット１３はディスクの異なる処理方式により異なる材質の物件に変えることができる。本実施例により第二挟みアーム２０のタン板２４は取り外し可能な物件で，処理ユニット１３を変えたい時，まずタン板２４を外し、この時タン板２４と第一挟みアーム１０は共に比較的大きな交換の空間を有し，処理ユニット１３を交換しやすい。
【００１３】
以上から分かるように、本考案のディスク処理器の溝造は簡單で，製作上や操作上どちらにせよ同じように便利であり，これ以外にも，交換可能な処理ユニット１３の特性により，本ディスク処理器上の異なる目的により、清潔、補正または破壊するといったディスクの功能を行う。第二の実施例において分かるように，前記取り外し可能なタン板２４は処理ユニット１３の交換を更に簡単にする。
【００１４】
以上が本考案の詳細な?明であり，しかし以上に述べたのは，本考案の比較的好ましい実施例に過ぎず、本考案の實施範圍を限定するものではない。本考案の申請範圍に関する變化と修飾等は，どれも本考案の特許範圍内に含まれる。  
【図面の簡単な説明】
【００１５】
【図１】本ディスク処理器の外観図である。
【図２】本ディスク処理器の分解図である。
【図３Ａ】本ディスク処理器のディスク放置図である。
【図３Ｂ】本ディスク処理器のディスク使用図である。
【図４】本ディスク処理器の第二実施例の分解図である。
【図５Ａ】本ディスク処理器の第二実施例の第二挟みアーム組合図である。
【図５Ｂ】本ディスク処理器の第二実施例の第二挟みアーム分解図である。
【符号の説明】
【００１６】
１０  第一挟みアーム
１１  第一ピボット部
１１１  ピボット孔
１２  収納部
１３  処理ユニット
２０  第二挟みアーム
２１  第二ピボット部
２１１  ピボット孔
２２  突起部
２３  台座
２４  タン板
３０  ピン
３１  弾性部材付き
４０  ディスク
４１  中央孔
【図１】
0003130648.tif 000003
【図２】
0003130648.tif 000004
【図３Ａ】
0003130648.tif 000005
【図３Ｂ】
0003130648.tif 000006
【図４】
0003130648.tif 000007
【図５Ａ】
0003130648.tif 000008
【図５Ｂ】
0003130648.tif 000009